(57)【要約】【課題】ユーザが、出先で、多機能携帯端末装置を通じてセキュリティ端末機器の状態を確認しながら、セキュリティ端末機器の設定・解除等が行えるセキュリティシステムを提供する。【解決手段】被監視拠点２０cに、セキュリティ端末機器として、パッシブセンサー１、シャッターセンサー２、赤外線センサー３、出入管理機器４、威嚇霧噴射装置５、威嚇ライト６、マイク付Webカメラ７、威嚇スピーカー８が、ＷｉＦｉルーター１４に接続され、インターネット網及び電話網１１を介して、多機能携帯端末装置１５に接続される。多機能携帯端末装置は、パッシブセンサー１、シャッターセンサー２、赤外線センサー３からの検出信号をモニタし、不法侵入等の異常が検出された場合、対応する出入管理機器４、威嚇霧噴射装置５、威嚇ライト６、マイク付Webカメラ７、威嚇スピーカー８を直接作動させる。【選択図】図３
2014002675.tif 000002
【特許請求の範囲】
【請求項１】
防犯設備機器において、各種セキュリティ端末機器と多機能携帯端末装置をＷｉＦｉ通信を用いて、通信内容のセキュリティを確保しつつ、コントローラ、受信機、通報機等を介さずに構築することを特徴としたセキュリティシステム。
【請求項２】
防犯設備機器において、各種セキュリティ端末機器の状態を、ＷｉＦｉ通信を用いて、多機能携帯端末装置でリアルタイムに確認と、威嚇が出来ることを特徴としたセキュリティシステム。
【発明の詳細な説明】
【技術分野】
【０００１】
本発明は、被監視拠点の全てのセキュリティ端末機器に対し、特定の多機能携帯端末装置から直接リアルタイムに制御をすることにより、不法侵入等の異常が検知された場合に、特定の多機能携帯端末装置によって、被監視拠点のセキュリティ端末機器の設定・解除・威嚇や作動状態の確認、並びに監視カメラの操作を行うことができるセキュリティシステムに関するものである。
【背景技術】
【０００２】
従来のセキュリティシステムの１例として、ホームセキュリティシステムがある（例えば、特許文献１参照）。従来のホームセキュリティシステムにおいては、各ユーザ宅に、防犯・防災用センサー、監視カメラ、施錠装置および警報装置が設置され、これらの装置が、同じく宅内に設置されたコントローラによって制御される。
【０００３】
また、各ユーザ宅のコントローラは通信ネットワークを介してセキュリティセンターの管理サーバーに接続され、管理サーバーは、各コントローラを通じて、センサーからの検出信号および監視カメラの映像をモニタし、不法侵入や火災発生等の異常が検出された場合、警報装置を作動させる。
【０００４】
また、各ユーザは、自己の携帯端末装置によって、セキュリティセンターの管理サーバーにアクセス可能になっている。この場合、管理サーバーには、各ユーザのＩＤおよびパスワードを含むユーザ登録情報が予め格納されていて、ユーザの携帯端末装置によるアクセスの際に、認証が行われる。
こうして、セキュリティセンターにおいてユーザ宅の異常が検知された場合には、ユーザの携帯端末装置に対して電子メールや音声通話によって異常の発生が通報され、次いで、監視カメラの映像が携帯端末装置に送信されてそのディスプレイに表示される。
【０００５】
さらに、従来のホームセキュリティシステムでは、ユーザが、出先で、携帯端末装置によってセキュリティセンターの管理サーバーにアクセスし、自宅のコントローラを通じて、センサー、施錠装置および警報装置の設定・解除（またはオン・オフ）やそれらの装置の作動状態の確認を行い、あるいは監視カメラの操作を行うことができる。
【０００６】
このように従来のホームセキュリティシステムでは、各被監視拠点に制御用のコントローラが必須であり、かつセキュリティセンターに各監視拠点を管理する管理サーバーも必要となる。そのため従来のセキュリティシステムでは、案件ごとに新規に有線又は、無線（特定小電力ワイヤレス・微弱無線等）を用いて各センサーからの検出情報及び、威嚇機器への出力情報を送る為、専用のネットワークインフラを敷設する必要がある。また、ネットワーク全体をコントロールする為に専用のコントローラ又は、受信機の設置が必要であった。
【先行技術文献】
【特許文献】
【０００７】
【特許文献１】特開２００６−４８１７４号公報
【発明の概要】
【発明が解決しようとする課題】
【０００８】
本発明の課題は、セキュリティシステムにおいて、案件ごとに専用のネットワークインフラ（有線又は、無線（特定小電力ワイヤレス・微弱無線等））と専用のコントローラ又は、受信機・通報機との接続を必要としないセキュリティシステムを構築することにある。
【課題を解決するための手段】
【０００９】
上記課題を解決するため、本発明は、従来のセキュリティシステムが必要とした案件ごとの専用のネットワークインフラの敷設を必要としない、現在最も一般に普及しているＷｉＦｉ網（無線ＬＡＮ網）に接続可能なセキュリティ端末機器（センサーと威嚇機器等）を用いると共に、コントローラ又は受信機に変わり多機能携帯電話を用いることで、リアルタイムにセキュリティ（防犯）対象とする場所の被監視拠点の状況確認と威嚇制御を可能にすることを、特徴とするＷｉＦｉセキュリティシステムを構成したものである。
【発明の効果】
【００１０】
本発明は、従来のセキュリティシステムが必要とした案件ごとの専用のネットワークインフラの敷設を必要としない為、システム導入コストが低く抑えられ、また、移転・レイアウト変更の際、柔軟に対応することが出来る。
更に、多機能携帯端末装置にてリアルタイムにセキュリティ対象とする場所の状況確認と対処が出来ることにより、犯罪の抑止効果が飛躍的に向上し、治安が維持出来ることにより従来にはないユビキタスなセキュリティ社会を実現する。
【００１１】
こうして、コントローラおよび管理サーバーを経ずに、直接、セキュリティ端末機器および多機能携帯端末装置間で通信を行うので、多機能携帯端末装置に対して鮮明な映像を送信することができる。その結果、ユーザは、出先で、多機能携帯端末装置のディスプレイの映像を通じて、被監視拠点のセキュリティ端末機器を目視しながら、現場にいるような感覚で、セキュリティ端末機器の設定・解除を行い、あるいは作動状態を確認することができる。
【図面の簡単な説明】
【００１２】
【図１】従来の有線式セキュリティシステムの構成を示す図である。
【図２】従来のワイヤレス式セキュリティシステムの構成を示す図である。
【図３】本発明の１実施例によるセキュリティシステムの構成を示す図である。
【図４】本発明による各セキュリティ端末機器と多機能携帯端末装置との接続を示すブロック図である。
【発明を実施するための形態】
【００１３】
図１及び図２は、従来のセキュリティシステムの１構成を示す図である。図３は、本発明の１実施例によるセキュリティシステムの構成を示す図である。
【００１４】
図１は、全て有線式セキュリティ端末機器を用いた図である。被監視拠点２０aに、セキュリティ端末機器として、パッシブセンサー１、シャッターセンサー２、赤外線センサー３、出入管理機器４、威嚇霧噴射装置５、威嚇ライト６、マイク付Webカメラ７、威嚇スピーカー８が、通報コントローラ９に有線接続され、インターネット網及び電話網１１を介して、セキュリティセンターの管理サーバー１０に接続される。管理サーバー１０は、通報コントローラ９を通じて、パッシブセンサー１、シャッターセンサー２、赤外線センサー３からの検出信号をモニタし、不法
【００１５】
管理サーバー１０には、被監視拠点２０aのユーザのＩＤおよびパスワードと、ユーザが使用する携帯電話に係る電子メールアドレスおよび電話番号と、を含むユーザ登録情報が予め格納される。そして、この登録されたユーザのＩＤおよびパスワードを用いて、携帯電話１２が管理サーバー１０に接続する際に、管理サーバー１０による認証が行われ、許可されない携帯電話による管理サーバー１０への不正アクセスが防止される。
【００１６】
こうして、インターネット網及び電話網１１には、携帯電話１２が接続されて、セキュリティセンターの管理サーバー１０とデータ通信可能になっている。セキュリティセンターにおいて被監視拠点２０aの異常が検知された場合には、管理サーバー１０から関係する携帯電話１２に対して電子メールおよび／または音声通話によって異常の発生が通報される。
【００１７】
また、携帯電話１２を管理サーバー１０に接続し、関係する被監視拠点２０aの通報コントローラ９を通じて、セキュリティ端末機器の設定・解除（またはオン・オフ）やセキュリティ端末機器の作動状態の確認を行うことができる。
【００１８】
図２は、部分的に小電力ワイヤレス無線方式のセキュリティ端末機器を用いた図である。被監視拠点２０bに、セキュリティ端末機器のパッシブセンサー１、シャッターセンサー２、赤外線センサー３、威嚇ライト６、威嚇スピーカー８をワイヤレス送信機タイプを用い、ワイヤレス受信機１３で受信し、通報コントローラ９に接続されるケースである。通報コントローラ９以降の処理は全て有線方式（図１）同様である。
【００１９】
図３は、本発明の好ましい実施例によるセキュリティシステムの構成を示す図である。被監視拠点２０cに、セキュリティ端末機器として、パッシブセンサー１、シャッターセンサー２、赤外線センサー３、出入管理機器４、威嚇霧噴射装置５、威嚇ライト６、マイク付Webカメラ７、威嚇スピーカー８が、ＷｉＦｉルーター１４にＷｉＦｉ接続され、インターネット網及び電話網１１を介して、多機能携帯端末装置１５に接続される。多機能携帯端末装置は、パッシブセンサー１、シャッターセンサー２、赤外線センサー３からの検出信号をモニタし、不法侵入等の異常が検出された場合、対応する出入管理機器４、威嚇霧噴射装置５、威嚇ライト６、マイク付Webカメラ７、威嚇スピーカー８を直接作動させる。
【００２０】
従来のセキュリティ端末機器の通信方式は、全て有線方式（図１）又は、部分的に小電力ワイヤレス無線方式（図２）で構成されるが、本発明では、通信方式を専用のプロトコル（小電力・微弱）方式ではなく、汎用性のあるＩＰ（インターネットプロトコル）を用いることにより、情報を全てインターネット網を経由して多機能携帯端末装置（スマートフォン等）と通信を可能とすることにより、専用のコントローラ・受信機が不要となる。
【００２１】
図４は、本発明による各セキュリティ端末機器と多機能携帯端末装置との接続を示すブロック図である。新規にＤＤＮＳ（ダイナミックドメインシステム）・ＷＰＡ（Ｗｉ-Ｆｉ Ｐｒｏｔｅｃｔｅｄ Ａｃｃｅｓｓ）を組み込むＷｉＦｉ通信モジュールを用いることにより、従来方式より通信項目数を増やし、各機器の状態が詳細に把握出来ることが可能となる。
【００２２】
従来の防犯システムでは、通信項目が限られている為、各セキュリティ端末機器の現在の状態が十分に把握出来ない。また過去履歴についても、保存されていないケースが多く、不具合等が起きた場合の立証性に欠けていた。本発明では、ＷｉＦｉ通信を用いることにより通信項目を増やし、セキュリティ端末機器の状態を把握し、履歴についても中間のコントローラ・受信機等を設置せず、直接多機能携帯端末装置のメモリーに格納するシステムとすることにより、現在の状況をリアルタイムに把握出来ると同時に過去履歴についても、多機能携帯端末装置で確認可能とし不具合発生時の立証が確実に出来る。
【００２３】
また、ＷｉＦｉ通信部のセキュリティに、ＷＰＡ（Ｗｉ-Ｆｉ Ｐｒｏｔｅｃｔｅｄ Ａｃｃｅｓｓ）を用いてセキュリティ端末機器のデータを暗号化することにより、セキュリティ性が確保出来る。
【００２４】
さらに、セキュリティ端末機器に、ＤＤＮＳ（ダイナミックドメインシステム）を組み込んだことにより、外部からの遠隔点検が可能となる。
【００２５】
こうして、各セキュリティ端末機器の状態がリアルタイムでわかり、緊急時の対応及び、不具合発生時の特定と対応が迅速に行える。
【符号の説明】
【００２６】
１  パッシブセンサー
２  シャッターセンサー
３  赤外線センサー
４  出入管理機器
５  威嚇霧噴射装置
６  威嚇ライト
７  マイク付Webカメラ
８  威嚇スピーカー
９  通報コントローラ
１０  管理サーバー
１１  インターネット網及び電話網
１２  携帯電話
１３  ワイヤレス受信機
１４  ＷｉＦｉルーター
１５  多機能携帯端末装置
２０a〜２０c  被監視拠点
【図１】
2014002675.tif 000003
【図２】
2014002675.tif 000004
【図３】
2014002675.tif 000005
【図４】
2014002675.tif 000006